(57)【要約】【課題】ドライアイス及び液化ガスを使用することなく、棺桶内の遺体を効率よく冷却することができる棺桶冷却装置及びそのシステムを提供する。【解決手段】上部に載せた棺桶１１の底部１６と接触又は密着する冷却部材１２を有し、冷却部材１２からの直接の熱伝導によって棺桶１１の底部１６を冷却し、これによって棺桶１１内に収納されている遺体を冷却することができる。また、従来から使用されていた棺桶をそのまま使用することができるので、経済的である。【選択図】        図１
2004261199.tif 000002
【特許請求の範囲】
【請求項１】
上部に載せた棺桶の底部と接触又は密着する冷却部材を有し、前記冷却部材からの直接の熱伝導によって前記棺桶の底部を冷却し、これによって前記棺桶内に収納されている遺体を冷却することを特徴とする棺桶冷却装置。
【請求項２】
請求項１記載の棺桶冷却装置において、前記冷却部材は、樹脂又は金属で形成されていることを特徴とする棺桶冷却装置。
【請求項３】
請求項１及び２のいずれか１項に記載の棺桶冷却装置において、前記冷却部材は、ペルチェ効果を利用した電子冷却手段によって冷却されていることを特徴とする棺桶冷却装置。
【請求項４】
請求項１〜３のいずれか１項に記載の棺桶冷却装置において、前記冷却部材は、前記棺桶を載置する載置台の天井部に設けられていることを特徴とする棺桶冷却装置。
【請求項５】
請求項４記載の棺桶冷却装置において、前記載置台には、ヒーターが設けられ、前記冷却部材によって冷却された棺桶と前記冷却部材が凍り付いて分離できないときには、前記ヒーターの熱によって氷を溶かすことを特徴とする棺桶冷却装置。
【請求項６】
請求項１〜５のいずれか１項に記載の棺桶冷却装置において、前記冷却部材の底部に冷風を送るファンを有し、前記冷却部材の冷却を促進することを特徴とする棺桶冷却装置。
【請求項７】
請求項１及び２のいずれか１項に記載の棺桶冷却装置において、前記冷却部材の内部に直接冷媒配管が設けられ、更に別置きで前記冷媒配管に冷媒を循環供給する冷凍機を備えていることを特徴とする棺桶冷却装置。
【請求項８】
棺桶と、該棺桶を上に載せ、前記棺桶の底部と接触又は密着する冷却部材を備えた載置台とを有し、
前記冷却部材からの直接の熱伝導によって前記棺桶の底部を冷却し、これによって前記棺桶内に収納されている遺体を冷却することを特徴とする棺桶冷却システム。
【請求項９】
請求項８記載の棺桶冷却システムにおいて、前記棺桶の底部及び前記冷却部材には、貫通する複数の開口部が形成されて、更に、前記載置台には、前記開口部の全部又は一部に向けて冷風を吹き込むファンが設けられ、前記熱伝導によって遺体を冷却する他、対流によって前記遺体を冷却することを特徴とする棺桶冷却システム。
【発明の詳細な説明】
【０００１】
【発明の属する技術分野】
本発明は、遺体を収納する棺桶を冷却する棺桶冷却装置及びそのシステムに関する。
【０００２】
【従来の技術】
人が死亡した場合には、遺体を柩や棺桶の中に収めておく期間は、通夜や告別式を行うことで３〜４日程度であり、この間遺体を棺桶に入れたまま保存しておくと、腐敗が進行し死臭が発生する。そこで、通常は遺体の保存剤としてドライアイスを棺桶内に配置している。
また、棺桶又は遺体収納袋内に液化ガス供給スペースを形成し、液化ガス供給スペース内に液化ガスを供給することにより、棺桶又は遺体収納袋内を冷却しつつ滅菌処理していた（例えば、特許文献１参照）。
【０００３】
【特許文献１】
特開平９−３０８６５９号公報
【０００４】
【発明が解決しようとする課題】
しかしながら、ドライアイスを遺体に直接触れるようにして配置すると皮膚が変色し、一見しても冷たく感じ、遺体に対して哀れみを感じる。
また、ドライアイスは時間の経過と共に消滅するので、適当に補充する必要があり、この場合、棺桶の中にあるドライアイスの袋を全部取り出して新しいドライアイスを詰め込む作業を行うことになるが、遺体に対面して行うことになり辛い仕事になる。
そして、火葬時においても、棺桶の中にドライアイスが入っている場合には、高温状態（例えば、８００℃）になるのに時間がかかり、このためダイオキシンが発生している。火葬の場合には棺桶からダイオキシンが発生するような要素を除去するように義務付けられているが、実際にはなかなか実行されていない。
【０００５】
また、特許文献１の発明では、高価な液化ガスを供給するので、コストがかかるという問題があった。また、液化ガスとして、炭酸ガスを用いているので、炭酸ガスがスノードライアイスとなり、火葬時に高温状態になるまでの時間がかかる。また、炭酸ガスは、地球温暖化現象の原因物質とされているので、地球規模での環境破壊の原因となるという問題があった。
本発明はかかる事情に鑑みてなされたもので、ドライアイスや液化ガスを使用することなく、棺桶内の遺体を効率よく冷却することができる棺桶冷却装置及びそのシステムを提供することを目的とする。
【０００６】
【課題を解決するための手段】
前記目的に沿う第１の発明に係る棺桶冷却装置は、上部に載せた棺桶の底部と接触又は密着する冷却部材を有し、冷却部材からの直接の熱伝導によって棺桶の底部を冷却し、これによって棺桶内に収納されている遺体を冷却する。冷却部材は、棺桶の底部と接触又は密着して配置されるので、冷却部材からの直接の熱伝導により、効率よく棺桶内を棺桶の底部から冷却することができる。また、従来の棺桶を使用することができるので、経済的である。
第１の発明に係る棺桶冷却装置において、冷却部材は、樹脂又は金属で形成するのが好ましい。これによって、冷却部材の熱伝導の効率を高くでき、棺桶を冷却することができる。
第１の発明に係る棺桶冷却装置において、冷却部材は、ペルチェ効果を利用した電子冷却手段によって冷却されてもよい。これによって、効率よく棺桶を冷却できると共に、装置の小型化ができる。
【０００７】
第１の発明に係る棺桶冷却装置において、冷却部材は、棺桶を載置する載置台の天井部に設けてもよい。これによって、棺桶の底部を効率よく冷却できる。
第１の発明に係る棺桶冷却装置において、載置台には、ヒーターが設けられ、冷却部材によって冷却された棺桶と冷却部材が凍り付いて分離できないときには、ヒーターの熱によって氷を溶かすこともできる。
第１の発明に係る棺桶冷却装置において、冷却部材の底部に冷風を送るファンを有し、冷却部材の冷却を促進することもできる。
第１の発明に係る棺桶冷却装置において、冷却部材の内部に直接冷媒配管が設けられ、更に別置きで冷媒配管に冷媒を循環供給する冷凍機を備えてもよい。これによって、効率よく棺桶を冷却できると共に、装置の小型化ができる。
【０００８】
前記目的に沿う第２の発明に係る棺桶冷却システムは、棺桶と、棺桶を上に載せ、棺桶の底部と接触又は密着する冷却部材を備えた載置台とを有し、冷却部材からの直接の熱伝導によって棺桶の底部を冷却し、これによって棺桶内に収納されている遺体を冷却する。これによって、冷却部材からの直接の熱伝導によって、棺桶の底部を効率よく冷却し、棺桶内を冷却することができる。
第２の発明に係る棺桶冷却システムにおいて、棺桶の底部及び冷却部材には、貫通する複数の開口部が形成されて、更に、載置台には、開口部の全部又は一部に向けて冷風を吹き込むファンが設けられ、熱伝導によって遺体を冷却する他、対流によって遺体を冷却してもよい。これによって、冷却部材からの直接の熱伝導及び棺桶の開口部からの対流伝熱で、棺桶内を効率よく冷却することができる。
【０００９】
【発明の実施の形態】
続いて、添付した図面を参照しつつ、本発明を具体化した実施の形態につき説明し、本発明の理解に供する。
ここで、図１は本発明の第１の実施の形態に係る棺桶冷却システムの説明図、図２は本発明の第２の実施の形態に係る棺桶冷却システムの説明図、図３は同棺桶冷却システムのファンによる冷風の流れを示す説明図、図４は本発明の第３の実施の形態に係る棺桶冷却システムの説明図、図５は同棺桶冷却システムの電子冷却手段を構成するペルチェモジュールの説明図、図６は本発明の第４の実施の形態に係る棺桶冷却システムの説明図である。
【００１０】
図１を参照して、本発明の第１の実施の形態に係る棺桶冷却システム１０を説明する。
棺桶冷却システム１０は、棺桶１１と、棺桶１１を上に載せ、棺桶１１の底部１６と接触又は密着する金属製の板材で形成された冷却部材１２を備えた載置台の一例である冷媒配管収納箱２０とを有している。棺桶１１は、棺桶本体１３と蓋１４を有し、蓋１４には開閉窓１５が設けられている。また、冷却部材１２は、棺桶本体１３の底部１６と実質的に同じ広さに形成されている。
冷媒配管収納箱２０は、冷却部材１２を天井部として、木製の底板１８と、底板１８の周囲に立設する４枚の側板１９を備えた箱形となっている。冷媒配管収納箱２０の内側部分には、発泡合成樹脂シート等からなる断熱シート２１が貼着されている。冷媒配管収納箱２０内には、冷媒が流れる冷媒配管２２、及び冷媒配管２２によって降温された冷媒配管収納箱２０内の空気を冷却部材１２の底部に導くファン２３を有している。ここで、ファン２３は、冷媒配管収納箱２０の底板１８に図示しない取付け手段によって複数、例えば、３つ取付けられている。
【００１１】
また、冷媒配管２２には、フレキシブルチューブ２５、継ぎ手２６を介して、別置きの冷凍機２４が接続され、冷凍機２４により冷却された冷媒が、冷媒配管２２に供給される。
更に、冷媒配管収納箱２０内には、図示しないヒーターが設けられている。ヒーターは、棺桶１１を冷却した際に、冷却部材１２と棺桶本体１３の底部１６が凍り付いて分離できないときに駆動させて、氷を溶かし、冷却部材１２と棺桶本体１３とを簡単に分離させる。
なお、冷却部材１２、冷媒配管２２、冷媒配管収納箱２０、冷凍機２４、及びこれらを繋ぐフレキシブルチューブ２５、継ぎ手２６によって、棺桶冷却装置１７が構成される。
【００１２】
次に、棺桶冷却システム１０の使用方法について説明する。
冷媒配管収納箱２０の冷却部材１２の上に棺桶１１を載置し、棺桶本体１３の底部１６と冷却部材１２を接触又は密着させる。
棺桶本体１３の底部１６の上に載置された図示しない畳の上に配置された布団及び枕の上に図示しない亡くなった直後の遺体を安置し、蓋１４をする。
そして、図１に示すように、冷媒配管２２と冷凍機２４を、フレキシブルチューブ２５、継ぎ手２６を介して接続する。更に、冷凍機２４の図示しない電源プラグを電源に接続し、図示しないスイッチをオンにすると、図示しないポンプに電力が供給されて、冷凍機２４から冷却部材１２の冷媒配管２２に冷媒を供給する。更に、ファン２３にも、電力が供給され、ファン２３が回転し、冷媒配管２２によって、冷却された冷媒配管収納箱２０内の空気を、冷却部材１２の底部に吹き付けて、冷却部材１２を冷却する。冷却された冷却部材１２からの直接の熱伝導によって、棺桶本体１３の底部１６が冷却され、更に、棺桶本体１３内が冷却される。このようにして、棺桶本体１３に安置された遺体を低温状態で保持でき、遺体の腐敗の進行を緩めることができる。
【００１３】
図２及び図３を参照して、本発明の第２の実施の形態に係る棺桶冷却システム３０を説明する。なお、棺桶冷却システム１０と同一の構成要素については同一の番号を付してその詳しい説明を省略する。
棺桶冷却システム３０は、棺桶３１と、棺桶３１を上に載せ、棺桶３１の底部３３と接触又は密着し、棺桶３１の底部３３と実質的に同じ広さの樹脂製の板材で形成された冷却部材３２を備えた載置台の一例である冷媒配管収納箱２０ａとを有している。
棺桶３１は、底部３３に複数の開口部３４が形成された棺桶本体３５と開閉窓１５が設けられた蓋１４を有している。冷却部材３２は、棺桶本体３５の底部３３と実質的に同じ広さに形成されている。更に、冷却部材３２には、棺桶本体３５の底部３３に設けられた複数の開口部３４と貫通するように設けられた開口部３８が設けられている。
【００１４】
冷媒配管収納箱２０ａは、天井部となる冷却部材３２の下側に木製の底板１８と、底板１８の周囲に立設する４枚の側板１９を有し、箱形となっており、内側に断熱シート２１が貼着されている。更に、冷媒配管収納箱２０ａ内の冷媒配管２２には、冷媒を供給する冷凍機２４が、フレキシブルチューブ２５、継ぎ手２６を介して接続され、冷凍機２４により冷却された冷媒を冷媒配管２２に供給する。冷媒配管収納箱２０ａ内には、ファン２３、及び図示しないヒーターが設けられている。なお、冷却部材３２、冷媒配管２２、冷媒配管収納箱２０ａ、冷凍機２４、及びこれらを繋ぐフレキシブルチューブ２５、継ぎ手２６によって、棺桶冷却装置３７が構成される。
【００１５】
次に、棺桶冷却システム３０の冷却方法について説明する。
図３に示すように、冷媒配管２２によって冷却された冷媒配管収納箱２０ａ内の空気は、ファン２３によって、冷却部材３２の開口部３８の一部に向けて冷風が吹き込まれる。更に、冷風は、ファン２３の直上位置にある複数の開口部３８、３４から棺桶本体３５内に導かれ、棺桶本体３５内を冷却する。更に、棺桶本体３５内を冷却し、暖かくなった空気は、ファン２３の直上位置にない開口部３４、開口部３８を介して、冷媒配管収納箱２０ａ内に導かれ、再び冷却される。つまり、冷媒配管２２によって冷却された冷媒配管収納箱２０ａ内の空気は、冷媒配管収納箱２０ａ内と棺桶本体３５内とを循環して、棺桶本体３５内を冷却する。更に、冷媒配管２２によって冷却された空気によって、冷却部材３２が冷却され、その熱伝導によって、棺桶本体３５の底部３３が冷却され、棺桶本体３５内が冷却される。このように、冷却部材３２からの直接の熱伝導及び棺桶本体３５の開口部３４からの対流伝熱で、棺桶本体３５内に収納された遺体を効率よく冷却することができる。なお、ファンによって、開口部の全部に向けて、冷風を吹き込むこともできる。
【００１６】
図４及び図５を参照して、本発明の第３の実施の形態に係る棺桶冷却システム４０を説明する。なお、棺桶冷却システム１０と同一の構成要素については同一の番号を付してその詳しい説明を省略する。
棺桶冷却システム４０は、棺桶１１と、棺桶１１を載せ、棺桶本体１３の底部１６と接触又は密着し、棺桶本体１３の底部１６と実質的に同じ広さの金属製の板材で形成された冷却部材４１とを有している。また、冷却部材４１の下部には、ペルチェ効果を利用した電子冷却手段の一例であるペルチェモジュール４３が複数取付けられている。更に、冷却部材４１は、載置台４４の天井部４５に載置されている。なお、冷却部材４１、及び複数のペルチェモジュール４３によって、棺桶冷却装置４２が構成される。
【００１７】
図５を参照して、ペルチェモジュール４３について詳しく説明する。ペルチェモジュール４３は、２枚の絶縁伝熱板４６、４７（例えば、セラミック等）の間に、ｐ形半導体４８とｎ形半導体４９をπ字形、あるいは逆π字形に交互に配置し、銅電極５０によってｐ形半導体４８とｎ形半導体４９を直列に接続している。また、絶縁伝熱板４６は、冷却部材４１の下部に接触して取付けられている。ここで、ｎ形半導体４９側ａから直流電流を流すと、絶縁伝熱板４６は吸熱し、絶縁伝熱板４７は発熱する。絶縁伝熱板４６の吸熱により、冷却部材４１が冷却され、冷却部材４１の上部に載置された棺桶本体１３の底部１６が熱伝導により冷却される。また、電流を流す向きを切り替えて、直流電流をｐ形半導体５０側ｂから流すと、絶縁伝熱板４６は発熱し、絶縁伝熱板４７は吸熱するので、冷却部材４１と棺桶本体１３の底部１６が凍り付いて分離できないときに、氷を溶かし、冷却部材４１と棺桶本体１３を簡単に分離することができる。
【００１８】
図６を参照して、本発明の第４の実施の形態に係る棺桶冷却システム５１を説明する。なお、棺桶冷却システム１０と同一の構成要素については同一の番号を付してその詳しい説明を省略する。
棺桶冷却システム５１は、棺桶１１と、棺桶１１を載せ、棺桶本体１３の底部１６と接触又は密着し、棺桶本体１３の底部１６と実質的に同じ広さの金属製の冷却部材５２とを有している。冷却部材５２の内部には、冷媒配管２２が設けられている。更に、棺桶冷却システム５１は、別置きで冷媒配管２２に冷媒を循環供給する冷凍機２４を備えている。冷凍機２４により冷却された冷媒は、フレキシブルチューブ２５、継ぎ手２６を介して、冷媒配管２２に供給される。また、冷却部材５２は、載置台４４の天井部４５に配置されている。
なお、冷却部材５２、冷媒配管２２、冷凍機２４、及びこれらを繋ぐフレキシブルチューブ２５、継ぎ手２６によって、棺桶冷却装置５３が構成される。
【００１９】
次に、棺桶冷却システム５１の冷却方法について説明する。
図６に示すように、冷凍機２４から送られる冷媒は、フレキシブルチューブ２５、継ぎ手２６を介して、冷媒配管２２に供給され、直接の熱伝導により、金属製の冷却部材５２が冷却される。更に、冷却された冷却部材５２の熱伝導によって、棺桶本体１３の底部１６が冷却され、棺桶本体１３内が冷却される。このように、冷却部材５２の内部に直接冷媒配管２２が設けられることにより、空気を媒介させることなく、冷却された冷媒配管２２から冷却部材５２への熱伝導が直接行われるので、熱伝導の効率がよくなる。したがって、棺桶本体１３内に収納された遺体を効率よく冷却することができると共に、装置の小型化ができる。
【００２０】
本発明は、前記した実施の形態に限定されるものではなく、本発明の要旨を変更しない範囲での変更は可能であり、例えば、前記したそれぞれの実施の形態や変形例の一部又は全部を組み合わせて本発明の棺桶冷却システムを構成する場合も本発明の権利範囲に含まれる。
例えば、前記実施の形態の棺桶冷却システムにおいて、冷却部材の天井板を金属としたが、樹脂としてもよい。
【００２１】
【発明の効果】
請求項１〜７記載の棺桶冷却装置においては、上部に載せた棺桶の底部と接触又は密着する冷却部材を有し、冷却部材からの直接の熱伝導によって棺桶の底部を冷却し、これによって棺桶内に収納されている遺体を冷却するので、効率よく棺桶の底部を冷却することができる。また、従来の棺桶を使用することができ、経済的である。
特に、請求項２記載の棺桶冷却装置においては、冷却部材は、樹脂又は金属で形成されているので、冷却部材の熱伝導の効率を高くでき、棺桶を冷却することができる。
請求項３記載の棺桶冷却装置においては、冷却部材は、ペルチェ効果を利用した電子冷却手段によって冷却されるので、効率よく棺桶を冷却できると共に、装置の小型化ができる。
【００２２】
特に、請求項４記載の棺桶冷却装置においては、冷却部材は、棺桶を載置する載置台の天井部に設けられているので、棺桶の底部を効率よく冷却できる。
請求項５記載の棺桶冷却装置においては、載置台には、ヒーターが設けられ、冷却部材によって冷却された棺桶と冷却部材が凍り付いて分離できないときには、ヒーターの熱によって氷を溶かすので、使い勝手がよい。
特に、請求項６記載の棺桶冷却装置においては、冷却部材の底部に冷風を送るファンを有し、冷却部材の冷却を促進するので、より効率的に棺桶を冷却することができる。
請求項７記載の棺桶冷却装置においては、冷却部材の内部に直接冷媒配管が設けられ、更に別置きで冷媒配管に冷媒を循環供給する冷凍機を備えているので、効率よく棺桶を冷却できると共に、装置の小型化ができる。
【００２３】
請求項８及び９記載の棺桶冷却システムにおいては、棺桶と、棺桶を上に載せ、棺桶の底部と接触又は密着する冷却部材を備えた載置台とを有し、冷却部材からの直接の熱伝導によって棺桶の底部を冷却し、これによって棺桶内に収納されている遺体を冷却するので、冷却部材からの直接の熱伝導によって、棺桶の底部を効率よく冷却し、棺桶内を冷却することができる。
特に、請求項９記載の棺桶冷却システムにおいては、棺桶の底部及び冷却部材には、貫通する複数の開口部が形成されて、更に、載置台には、開口部の全部又は一部に向けて冷風を吹き込むファンが設けられ、熱伝導によって遺体を冷却する他、対流によって遺体を冷却するので、冷却部材からの直接の熱伝導及び棺桶の開口部からの対流伝熱で、棺桶内を効率よく冷却することができる。
【図面の簡単な説明】
【図１】本発明の第１の実施の形態に係る棺桶冷却システムの説明図である。
【図２】本発明の第２の実施の形態に係る棺桶冷却システムの説明図である。
【図３】同棺桶冷却システムのファンによる冷風の流れを示す説明図である。
【図４】本発明の第３の実施の形態に係る棺桶冷却システムの説明図である。
【図５】同棺桶冷却システムの電子冷却手段を構成するペルチェモジュールの説明図である。
【図６】本発明の第４の実施の形態に係る棺桶冷却システムの説明図である。
【符号の説明】
１０：棺桶冷却システム、１１：棺桶、１２：冷却部材、１３：棺桶本体、１４：蓋、１５：開閉窓、１６：底部、１７：棺桶冷却装置、１８：底板、１９：側板、２０、２０ａ：冷媒配管収納箱、２１：断熱シート、２２：冷媒配管、２３：ファン、２４：冷凍機、２５：フレキシブルチューブ、２６：継ぎ手、３０：棺桶冷却システム、３１：棺桶、３２：冷却部材、３３：底部、３４：開口部、３５：棺桶本体、３７：棺桶冷却装置、３８：開口部、４０：棺桶冷却システム、４１：冷却部材、４２：棺桶冷却装置、４３：ペルチェモジュール、４４：載置台、４５：天井部、４６、４７：絶縁伝熱板、４８：ｐ形半導体、４９：ｎ形半導体、５０：銅電極、５１：棺桶冷却システム、５２：冷却部材、５３：棺桶冷却装置
【図１】
2004261199.tif 000003
【図２】
2004261199.tif 000004
【図３】
2004261199.tif 000005
【図４】
2004261199.tif 000006
【図５】
2004261199.tif 000007
【図６】
2004261199.tif 000008